(57)【要約】【課題】巻き取りおよび解放の便宜をはかることが可能なロープの束縛装置を提供する。【解決手段】第一軸３０は枠体１０に回転可能なように装着される。操作レバー２０は第一軸３０に接続され、第一軸３０を回転させることによって枠体１０に対しスイングすることが可能である。操作レバー２０は操作レバー２０の操作およびスイングに用いる握り部２３を有する。リール５０は第二軸を有し、第二軸は回転可能に操作レバー２０に装着される。ラチェット機構は歯車、歯止めおよび弾性ユニットを有し、歯車は第二軸に装着され、かつ第二軸とともに回転可能であり、歯止めは弾性ユニットにより一方に振られ、歯車に食い込む。ロープは第一軸３０を通し、かつ反対方向に伸ばされる第一部および第二部を有する。第一軸３０は回転によってロープの第一部を巻き取る。リール５０は回転によってロープの第二部を巻き取る。【選択図】図１
2010269441.tif 000002
【特許請求の範囲】
【請求項１】
枠体と、
前記枠体に回転可能なように装着される第一軸と、
前記第一軸に接続され、前記第一軸を回転させることによって前記枠体に対しスイングすることが可能であり、かつ握り部を有することによって操作を受けてスイングすることが可能である操作レバーと、
回転可能に前記操作レバーに装着される第二軸を有するリールと、
歯車、歯止めおよび弾性ユニットを有し、前記歯車は前記第二軸に装着され、かつ前記第二軸とともに回転可能であり、前記歯止めは前記弾性ユニットにより一方に振られ、前記歯車に食い込むラチェット機構と、
前記第一軸を通し、かつ互いに反対方向に伸びる第一部および第二部を有し、第一部は前記第一軸の回転によって巻き取られ、第二部は前記リールの回転によって巻き取られるロープと、を備え、
前記歯車に前記歯止めが食い込むことによって前進効果を果たすことが可能なだけでなく、前記第二軸が逆転し、前記ロープを緩めるという現象を防止し、前記ロープの第二部を容易に巻き取ることが可能であることを特徴とするロープの束縛装置。
【請求項２】
つめ車および係止機構をさらに備え、前記つめ車は前記第一軸に装着され、前記係止機構は前記操作レバーに移動可能なように装着され、かつ操作位置と遊び位置との間を移動可能であり、作業の際、前記係止機構は操作位置まで移動し、前記つめ車に食い込むことによって前記第一軸を回転させ、前記係止機構を遊び位置まで移動させる際、前記係止機構と前記つめ車とは分離することを特徴とする請求項１に記載のロープの束縛装置。
【請求項３】
前記操作レバーは、互いに所定の距離を置く二つの突輪を有することを特徴とする請求項１に記載のロープの束縛装置。
【請求項４】
前記第二軸は、前記二つの突輪の間に装着されることを特徴とする請求項３に記載のロープの束縛装置。
【請求項５】
前記第二軸は、前記握り部と前記係止機構との間に位置付けられることを特徴とする請求項２に記載のロープの束縛装置。
【請求項６】
前記リールは、前記第二軸を回すために前記第二軸に接続されるハンドルを有することを特徴とする請求項１に記載のロープの束縛装置。
【請求項７】
前記第二軸は、前記ロープの第二部を装着するための溝を有することを特徴とする請求項１に記載のロープの束縛装置。
【請求項８】
前記歯車は、複数の歯を有し、前記歯止めは前記歯車の二つの歯の間の空間に食い込み、前記歯車が回転する際、前記歯止めは前記歯車の二つの歯の間の空間から逸脱し、前記弾性ユニットの駆動によって一方に振られ、別の二つの歯の間の空間に食い込むことを特徴とする請求項１に記載のロープの束縛装置。
【請求項９】
前記第一軸は、前記二つの突輪の間に連結するように装着されることを特徴とする請求項３に記載のロープの束縛装置。
【請求項１０】
前記握り部は、前記二つの突輪の間に連結するように装着されることを特徴とする請求項３に記載のロープの束縛装置。
【請求項１１】
前記歯止めは、操作によって第一位置と第二位置との間を移動可能であり、前記歯止めが前記第一位置まで移動すると前記歯車に食い込み、前記歯止めが前記第二位置まで移動し、前記歯車から逸脱すると、前記リール上に巻き取られた前記ロープが解放されることを特徴とする請求項１に記載のロープの束縛装置。
【請求項１２】
前記弾性ユニットは、前記操作レバーに装着される第一端と、前記歯止めに接続される第二端とを有することを特徴とする請求項１に記載のロープの束縛装置。
【請求項１３】
前記第二軸は、板状を呈することを特徴とする請求項７に記載のロープの束縛装置。
【請求項１４】
前記第二軸は、前記溝の両側の部位の幅が一定であることを特徴とする請求項１３に記載のロープの束縛装置。
【請求項１５】
前記係止機構は、係止部、二つの側片および操作部を有し、前記係止部は前記つめ車に食い込むことが可能であり、二つの前記側片は前記係止部の両側から前記握り部へ伸びて形成され、前記操作部は前記握り部と前記第二軸との間に位置付けられ、両側が二つの前記側片の末端に連接されることを特徴とする請求項２に記載のロープの束縛装置。
【請求項１６】
前記側片は、弧状湾曲部を有し、二つの前記側片は前記弧状湾曲部によって前記第二軸に跨り、前記握り部まで伸びることを特徴とする請求項１５に記載のロープの束縛装置。
【請求項１７】
前記第二軸上に巻き取られる前記ロープの第二部は、二つの前記側片の間に位置することを特徴とする請求項１５に記載のロープの束縛装置。
【請求項１８】
前記ハンドルは、少なくとも一つの末端ユニット及びレバーから構成され、前記末端ユニットは前記第二軸の一端に接続され、かつ二つの前記突輪間の空間以外の部位に位置付けられ、前記レバーは前記末端ユニットに装着され、前記第二軸の軸心との間に所定の距離を置くことを特徴とする請求項６に記載のロープの束縛装置。
【請求項１９】
前記ハンドルに近い前記突輪は、表面に二つの突出部を有し、前記レバーは前記末端ユニットにスイング可能なように接続され、かつ前記突輪の近くまでスイングすると二つの前記突出部の間に入り込み、係止されることを特徴とする請求項１８に記載のロープの束縛装置。
【発明の詳細な説明】
【技術分野】
【０００１】
本発明は、ロープの束縛装置に関し、詳しくは巻き取りおよび解放の便をはかることを可能にするロープの束縛装置に関するものである。
【背景技術】
【０００２】
米国特許ＵＳ７，２９６，３２６号明細書により掲示された束縛装置は、リールを備える。リールは操作レバーの両側壁面の間に回転可能なように装着され、かつ軸、軸に配置される溝および軸の両端に近い位置に連結される二つの円盤を有する。使用の際、ロープの一端が軸の溝を通し、二つの円盤が回転してロープを軸に巻き取ればよい。作業者は通常軸によって操作レバーを移動させる。しかしながら、ロープを軸上に巻き取る際、ロープは作業者の操作を妨害する。かつ一つの方向に沿って二つの円盤を回転させ、ロープを巻き取る際、円盤は反対方向に回転し、ロープを緩めることが偶に発生する。
【先行技術文献】
【特許文献】
【０００３】
【特許文献１】米国特許ＵＳ７，２９６，３２６号明細書
【発明の概要】
【発明が解決しようとする課題】
【０００４】
本発明は、上述した技術の問題を解決または改善するためのものであり、その目的は巻き取りおよび解放の便宜をはかることが可能なロープの束縛装置を提供することである。
【課題を解決するための手段】
【０００５】
上述の目的を達成するために、本発明によるロープの束縛装置は、枠体、第一軸、操作レバー、リール、ラチェット機構およびロープを備える。第一軸は枠体に回転可能なように装着される。操作レバーは第一軸に接続され、第一軸を回転させることによって枠体に対しスイングすることが可能である。操作レバーは操作レバーの操作およびスイングに用いる握り部を有する。リールは第二軸を有し、第二軸は回転可能に操作レバーに装着される。ラチェット機構は歯車、歯止めおよび弾性ユニットを有し、歯車は第二軸に装着され、かつ第二軸とともに回転可能であり、歯止めは弾性ユニットにより一方に振られ、歯車に食い込む。ロープは第一軸を通し、かつ反対方向に伸ばされる第一部および第二部を有する。第一軸は回転によってロープの第一部を巻き取る。リールは回転によってロープの第二部を巻き取る。歯車に歯止めが食い込むことによって前進効果を果たすことが可能なだけでなく、第二軸が逆転し、ロープを緩めるという現象を防止し、ロープの第二部を容易に巻き取ることが可能である。
【図面の簡単な説明】
【０００６】
【図１】本発明の第１実施形態によるロープの束縛装置を示す斜視図である。
【図２】本発明の第１実施形態によるロープの束縛装置を示す斜視図である。
【図３】本発明の第１実施形態によるロープの束縛装置におけるリールおよびラチェット機構を示す分解斜視図である。
【図４】本発明の第１実施形態によるロープの束縛装置におけるロープが第一軸に巻かれ、その第一部および第二部が伸ばされた状態を示す斜視図である。
【図５】図４の側面図である。
【図６】図５の要部拡大図である。
【図７】図５中のリールおよびラチェット機構を作動させる状態を示す模式図である。
【図８】図５中のラチェット機構およびリールを分離させる状態を示す模式図である。
【図９】図４中の９−９線断面図である。
【図１０】図９中のロープがリールに巻き取られた状態を示す模式図である。
【図１１】図１０中のロープがリール上に巻き取られた状態を示す模式図である。
【図１２】本発明の第２実施形態によるロープの束縛装置を示す斜視図である。
【図１３】図１２と異なる別の方向から見た本発明の第２実施形態によるロープの束縛装置を示す斜視図である。
【図１４】本発明の第２実施形態によるロープの束縛装置におけるハンドルのレバーを示す斜視図である。
【図１５】本発明の第３実施形態によるロープの束縛装置を示す斜視図である。
【図１６】本発明の第３実施形態によるロープの束縛装置におけるロープが第二軸上に巻き取られた状態を示す模式図である。
【発明を実施するための形態】
【０００７】
以下、本発明の実施形態によるロープの束縛装置を図面に基づいて説明する。
（第１実施形態）
図１および図２に示すように、本発明の第１実施形態によるロープの束縛装置は、枠体１０、操作レバー２０、枠体１０および操作レバー２０の間に装着される第一軸３０および二つのつめ車４０を備える。操作レバー２０が枠体１０に対しスイングする際、第一軸３０は枠体１０に対し回転可能である。二つのつめ車４０は第一軸３０に装着される。操作レバー２０がスイングする際、二つのつめ車４０は第一軸３０とともに回転する。
【０００８】
操作レバー２０は、二つの突輪２１および係止機構２２を有する。二つの突輪２１は互いに距離を置く。第一軸３０は二つの突輪２１間に連結するように装着される。二つの突輪２１間は握り部２３を有することによって互いに連結する。握り部２３は操作レバー２０の操作およびスイングに用いられる。係止機構２２は操作レバー２０に移動可能なように装着され、かつ操作位置と遊び位置との間を移動可能である。作業の際、係止機構２２が操作位置まで移動し、つめ車４０に食い込むことによって第一軸３０を回転させる。係止機構２２を遊び位置まで移動させる際、係止機構２２とつめ車４０とは分離する。
【０００９】
本実施形態によるロープの束縛装置は、ロープ９０の束縛に用いられる。ロープ９０は第一軸３０を貫通するため、図４および図９に示すように反対方向に伸びる第一部および第二部を有する。操作レバー２０を往復運動させることによってロープ９０の第一部を第一軸３０に巻き取ることが可能である。図９に示すように、ロープ９０の巻き取りが完了した時、操作レバー２０は収納位置に据えられる。
【００１０】
本実施形態によるロープの束縛装置は、さらにリール５０およびラチェット機構６０を備える。リール５０はロープ９０の第二部を巻き取ることが可能である。リール５０は二つの突輪２１間に装着されることで二つの突輪２１を互いに連結させる。ラチェット機構６０は一つの突輪２１上に装着される。図３に示すように、リール５０は作業者が操作を行うための第二軸５１を有する。第二軸５１は二つの突輪２１間に装着される。本実施形態において、第二軸５１は握り部２３と係止機構２２との間に位置付けられる。リール５０は作業者が第二軸５１を容易に回すために第二軸５１に接続されるハンドル５２を有する。ハンドル５２が二つの突輪２１間の空間以外の部位に配置されるため、作業者はハンドル５２を容易に操作することが可能である。本実施形態は、締め付け装置５３によってハンドル５２を第二軸５１に締め付けることが可能である。また第二軸５１はロープ９０の第二部を容易に装着するために溝５１１を有する。
【００１１】
図３に示すように、ラチェット機構６０は歯車６１、歯止め６２および弾性ユニット６３を有する。歯車６１は複数の歯を有する。歯車６１は第二軸５１に装着され、かつ第二軸５１とともに回転可能である。図６に示すように、歯止め６２は歯車６１の二つの歯の間の空間に食い込む。弾性ユニット６３は一端が突輪２１に装着され、他端が歯止め６２に接続される。図７に示すように、歯車６１が回転する際、歯止め６２は歯車６１の二つの歯の間の空間から逸脱し、弾性ユニット６３の駆動によって一方に振られ、別の二つの歯の間の空間に食い込む。歯止め６２は接続ユニット６４によって一つの突輪２１に装着される。本実施形態は、歯止め６２と突輪２１との間にワッシャー６５を配置することが可能である。
【００１２】
図８に示すように、歯止め６２が歯車６１から逸脱するように調整された時、作業者はリール５０上のロープ９０の第二部を緩めることが可能である。
【００１３】
図９から図１１に示すように、ロープ９０の第二部を巻き取る際、ロープ９０は溝５１１を貫通するため、ハンドル５２によって第二軸５１を回転させ、ロープ９０をリール５０の第二軸５１に巻き取ることが可能である。
【００１４】
本発明において、リール５０はロープ９０の第二部の巻き取りに用いられる。
本発明において、操作レバー２０の握り部２３は操作レバー２０を操作し、スイングさせることに用いられる。リール５０上のロープ９０は作業者が握り部２３を握るのに干渉することがない。
【００１５】
本発明において、ラチェット機構６０は第二軸５１が逆転し、ロープ９０を緩めるという現象を防止し、ロープ９０の第二部を容易に巻き取ることが可能である。
【００１６】
（第２実施形態）
図１２および図１３に示すように、本発明の第２実施形態によるロープの束縛装置７０は、第１実施形態とほぼ同じである。第１実施形態との違いは次の通りである。
【００１７】
第二軸７１は、板状を呈し、溝７１１の両側の部位の幅が一定である。
ハンドル７２は、末端ユニット７２１及びレバー７２２から構成される。末端ユニット７２１は第二軸７１の一端に接続され、かつ二つの突輪７３間の空間以外の部位に位置付けられる。レバー７２２は末端ユニット７２１に装着され、第二軸７１の軸心との間に所定の距離を置く。作業者はレバー７２２を握り、操作する際、レバー７２２は第二軸７１の軸心に対し回転力を生じ、第二軸７１を回転させることが可能である。
【００１８】
上述したとおり、レバー７２２によって第二軸７１を回転させることが可能である。第二軸７１は板状の両側部位の幅が一定であるため、ロープ９０の第二部を第二軸７１に巻き取る一回りの長さを増大させ、巻き取りの便をはかることが可能である。
【００１９】
図１３に示すように、レバー７２２は末端ユニット７２１に固定されるが、これに限らず、末端ユニット７２１にスイング可能なように接続されることが可能である。図１４に示すように、ハンドル７２´に近い突輪７３´は表面に二つの突出部７３１´を有する。レバー７２２´は末端ユニット７２１´にスイング可能なように接続される。レバー７２２´が突輪７３´の近くまでスイングすると二つの突出部７３１´間に入り込み、係止される。図１４に示すように、ロープの束縛装置を使用する必要がない際、レバー７２２´を二つの突出部７３１´間にスイングさせ、係止することが可能である。ロープの束縛装置を使用する際、末端ユニット７２１´に垂直の方向へレバー７２２´をスイングさせれば、手で握って操作することが可能である。
【００２０】
第２実施形態において、ほかの構造および達成できる効果は第１実施形態と同じであるため、説明を省略する。
【００２１】
（第３実施形態）
図１５および図１６に示すように、本発明の第３実施形態によるロープの束縛装置８０は、第１実施形態とほぼ同じである。第１実施形態との違いは次の通りである。
【００２２】
係止機構８２は、係止部８２１、二つの側片８２２および操作部８２３を有する。係止部８２１はつめ車８５に食い込むまたはつめ車８５から逸脱することが可能である。二つの側片８２２は係止部８２１の両側から握り部８３へ伸びて形成される。操作部８２３は握り部８３と第二軸８１との間に位置付けられ、両側が二つの側片８２２の末端に連接される。本実施形態において、側片８２２は弧状湾曲部８２２１を有する。二つの側片８２２は弧状湾曲部８２２１によって第二軸８１に跨り、握り部８３まで伸びる。第二軸８１上に巻き取られるロープ９０の第二部は、二つの側片８２２間に位置する。
【００２３】
操作部８２３が握り部８３に近いため、作業者が手で握り部８３を握れば、手を開いて指で操作部８２３を操作し、係止機構８２を制御することが可能である。従って、操作の便をはかることが可能となる。本実施形態は、二つの側片８２２によって第二軸８１上に巻き取られるロープ９０の第二部の位置を制限することが可能であるため、ロープ９０の第二部を巻き取る過程において、ずれ現象を抑制し、巻き取りを精確に行うことが可能となる。
【００２４】
第３実施形態において、ほかの構造および達成できる効果は第１実施形態と同じであるため、説明を省略する。
【００２５】
以上、本発明は、上記実施形態になんら限定されるものではなく、発明の趣旨を逸脱しない範囲において種々の形態で実施可能である。
【符号の説明】
【００２６】
１０    ・・・枠体、  
２０    ・・・操作レバー、  
２１    ・・・突輪、  
２２    ・・・係止片、  
２３    ・・・握り部、  
３０    ・・・第一軸、  
４０    ・・・つめ車、  
５０    ・・・リール、  
５１    ・・・第二軸、  
５１１  ・・・溝、  
５２    ・・・ハンドル、  
５３    ・・・締め付け装置、  
６０    ・・・ラチェット機構、  
６１    ・・・歯車、  
６２    ・・・歯止め、  
６３    ・・・弾性ユニット、  
６４    ・・・接続ユニット、  
６５    ・・・ワッシャー、  
７０    ・・・ロープの束縛装置、  
７１    ・・・第一軸、  
７１１  ・・・溝、  
７２    ・・・ハンドル、  
７２´  ・・・ハンドル、  
７２１  ・・・末端ユニット、  
７２１´・・・末端ユニット、  
７２２  ・・・レバー、  
７２２´・・・レバー、  
７３    ・・・突輪、  
７３´  ・・・突輪、  
７３１´・・・突出部、  
８０    ・・・ロープの束縛装置、  
８１    ・・・第二軸、  
８２    ・・・係止機構、  
８２１  ・・・係止部、  
８２２  ・・・側片、  
８２２１・・・弧状湾曲部、  
８２３  ・・・操作部、  
８３    ・・・握り部、  
８５    ・・・つめ車、  
９０    ・・・ロープ。
【図１】
2010269441.tif 000003
【図２】
2010269441.tif 000004
【図３】
2010269441.tif 000005
【図４】
2010269441.tif 000006
【図５】
2010269441.tif 000007
【図６】
2010269441.tif 000008
【図７】
2010269441.tif 000009
【図８】
2010269441.tif 000010
【図９】
2010269441.tif 000011
【図１０】
2010269441.tif 000012
【図１１】
2010269441.tif 000013
【図１２】
2010269441.tif 000014
【図１３】
2010269441.tif 000015
【図１４】
2010269441.tif 000016
【図１５】
2010269441.tif 000017
【図１６】
2010269441.tif 000018